(57)【要約】【課題】  設定時間内にデジタルカメラからコンピュータへ画像データを転送可能にする。【解決手段】  記憶媒体１２が記憶する画像データを外部装置２００に転送する場合に、システム制御部９が画像データの転送に要する転送時間を設定し、設定された転送時間内に転送を行うことが可能な記憶媒体上の画像データを決定し、決定された画像データを通知するための出力を、出力手段８に行わせる。【選択図】  図１
2005268864.tif 000002
【特許請求の範囲】
【請求項１】
被写体を撮影して得られる画像データを記憶媒体に記憶するデジタルカメラであって、
前記記憶媒体に記憶された画像データを外部装置に転送する転送手段と、
前記画像データの前記転送に要する転送時間を算出する転送時間算出手段と、
前記転送時間に基づき、予め指定された時間内に前記転送を行うことが可能な画像データを決定する転送可能画像決定手段と、
前記決定された画像データを通知するための出力を行う出力手段とを備えるデジタルカメラ。
【請求項２】
請求項１記載のデジタルカメラであって、
前記出力手段は、前記決定された画像データの中から選択された画像データの前記転送に要する転送時間を通知するための出力を行うデジタルカメラ。
【請求項３】
請求項１又は２記載のデジタルカメラであって、
前記画像データの転送終了後、当該画像データを前記記憶媒体から削除する画像削除手段を備えるデジタルカメラ。
【発明の詳細な説明】
【技術分野】
【０００１】
本発明は、被写体を撮影して得られる画像データを記憶媒体に記憶するデジタルカメラに関する。
【背景技術】
【０００２】
従来、デジタルカメラのメモリが一杯になると、要らない画像データを削除するか、またはメモリ内の画像データをＰＣ（コンピュータ）に転送して保存しておくといったことが行われている。メモリ内の画像データを転送する場合には、デジタルカメラとＰＣとをＵＳＢ（Ｕｎｉｖｅｒｓａｌ  Ｓｅｒｉａｌ  Ｂｕｓ）等で接続し、ＵＳＢ通信により、デジタルカメラのメモリに記憶されている画像データをＰＣに転送している。
【０００３】
画像データをＰＣに転送する際の技術として特許文献１記載のものがある。特許文献１には、デジタルカメラの電池残量が少ない場合、デジタルカメラの動作が維持可能な時間を算出し、その時間に基づいて、ＰＣに転送する画像データを制限するといった手法が記載されている。
【０００４】
【特許文献１】特開２００１‐１４８８０２号公報
【発明の開示】
【発明が解決しようとする課題】
【０００５】
従来において、デジタルカメラをすぐに使いたいが、デジタルカメラのメモリが一杯であり、メモリ内の画像が全て削除できないようなものであった場合を考える。この場合、デジタルカメラのユーザは、デジタルカメラとＰＣとを接続して画像データを転送する必要があるが、従来では、画像データの転送を開始するまで、その転送にどのくらい時間が掛かるのかを知るすべがなかった。
【０００６】
このため、適当な画像データを一旦転送してみる必要があり、その画像データの容量が非常に大きいものであった場合、転送に時間がかかり、デジタルカメラをすぐに使うことができない。容量の少ない画像データを選んで転送すれば転送時間は短くなるが、このような作業は面倒であり、結局、時間がかかってしまい、効率的でない。
【０００７】
本発明は、前記事情に鑑みてなされたものであり、画像データの転送を効率的に行うことが可能なデジタルカメラを提供することを目的とする。
【課題を解決するための手段】
【０００８】
本発明のデジタルカメラは、被写体を撮影して得られる画像データを記憶媒体に記憶するデジタルカメラであって、前記記憶媒体に記憶された画像データを外部装置に転送する転送手段と、前記画像データの前記転送に要する転送時間を算出する転送時間算出手段と、前記転送時間に基づき、予め指定された時間内に前記転送を行うことが可能な画像データを決定する転送可能画像決定手段と、前記決定された画像データを通知するための出力を行う出力手段とを備える。
【０００９】
この構成により、ユーザにより指定された時間内に転送可能な画像データを決定でき、決定した画像データをユーザに通知することが可能となる。このため、画像データの転送を効率的に行うことができる。
【００１０】
又、本発明のデジタルカメラは、前記出力手段が、前記決定された画像データの中から選択された画像データの前記転送に要する転送時間を通知するための出力を行う。
【００１１】
この構成により、画像データ毎に要する転送時間を、ユーザによって確認することが可能となり、画像データの転送をより効率的に行うことができる。
【００１２】
又、本発明のデジタルカメラは、前記画像データの転送終了後、当該画像データを前記記憶媒体から削除する画像削除手段を備える。
【００１３】
この構成により、画像データの転送後にその画像データを削除するため、ユーザ操作によって画像データを削除する必要なしに記憶媒体の記憶容量を確保することができ、折角のシャッターチャンスを逃してしまうといったことを防ぐことができる。
【発明の効果】
【００１４】
本発明によれば、画像データの転送を効率的に行うことが可能なデジタルカメラを提供することができる。
【発明を実施するための最良の形態】
【００１５】
図１は、本発明を実施するための最良の形態を説明するためのデジタルカメラの概略構成を示す図である。
図１のデジタルカメラ１００は、撮像部１と、アナログ信号処理部２と、Ａ／Ｄ変換部３と、駆動部４と、ストロボ５と、デジタル信号処理部６と、圧縮／伸張処理部７と、表示部８と、システム制御部（ＣＰＵ）９と、内部メモリ１０と、メディアインタフェース１１と、記録メディア１２と、操作部１３と、通信インターフェース１４とを備える。デジタル信号処理部６、圧縮／伸張処理部７、表示部８、システム制御部９、内部メモリ１０、メディアインタフェース１１、および通信インターフェース１４は、システムバス２０に接続されている。
【００１６】
撮像部１は、撮影レンズ等の光学系およびＣＣＤイメージセンサ等の撮像素子によって被写体の撮影を行うものであり、アナログの撮像信号を出力する。アナログ信号処理部２は、撮像部１で得られた撮像信号に所定のアナログ信号処理を施す。
【００１７】
Ａ／Ｄ変換部３は、アナログ信号処理部２で処理後のアナログ信号をデジタル信号に変換する。Ａ／Ｄ変換部３の出力は、いわゆるＲＡＷ画像データとしてデジタル信号処理部６に送られる。ＲＡＷ画像データは、撮像部１からの撮像信号の形式のままデジタル化したデジタル画像データである。
【００１８】
撮影に際しては、駆動部４を介して光学系の制御が行われる。撮像素子として利用されるＣＣＤイメージセンサ等の固体撮像素子は、半導体基板表面に行方向とこれに直交する列方向に配設された複数の光電変換領域を有し、入射光に対応して発生され、蓄積された信号電荷に基づいてアナログ電圧信号を出力する。
【００１９】
固体撮像素子は、操作部１３の一部であるレリーズボタン（図示せず）の操作によるレリーズスイッチ（図示せず）オンを契機として、所定のタイミングで、駆動部４に含まれるタイミングジェネレータ（図１ではＴＧと記載）からの駆動信号によって駆動される。駆動部４は、システム制御部９によって所定の駆動信号を出力する。
【００２０】
デジタル信号処理部６は、Ａ／Ｄ変換部３からのデジタル画像データに対して、操作部１３によって設定された動作モードに応じたデジタル信号処理を行う。デジタル信号処理部６が行う処理には、黒レベル補正処理（ＯＢ処理）、リニアマトリクス補正処理、ホワイトバランス調整処理、ガンマ補正処理、画像合成処理、同時化処理、およびＹ／Ｃ変換処理等が含まれる。デジタル信号処理部６は、例えばＤＳＰで構成される。
【００２１】
圧縮／伸張処理部７は、デジタル信号処理部６で得られたＹ／Ｃデータに対して圧縮処理を施して記録メディア１２に記録するとともに、記録メディア１２から得られた圧縮画像データに対して伸張処理を施す。
【００２２】
表示部８は、例えばＬＣＤ表示装置を含んで構成され、撮影されてデジタル信号処理を経た画像データに基づく画像を表示する。記録メディアに記録された圧縮画像データを伸張処理して得た画像データに基づく画像の表示も行う。また、撮影時のスルー画像、デジタルカメラ１００の各種状態、操作に関する情報の表示等も可能である。
【００２３】
内部メモリ１０は、例えばＤＲＡＭであり、デジタル信号処理部６やシステム制御部９のワークメモリとして利用されるほか、記録メディア１２に記録される撮影画像データを一時的に記憶するバッファメモリや表示部８への表示画像データのバッファメモリとしても利用される。メディアインタフェース１１は、メモリカード等の記録メディア１２との間のデータの入出力を行うものである。
【００２４】
記録メディア１２は、圧縮／伸張処理部７で圧縮処理後の画像データを記憶する記憶媒体である。
【００２５】
通信インターフェース１４は、外部装置であるコンピュータ２００と通信するためのインターフェースであり、例えば、ＵＳＢインターフェース等が用いられる。このインターフェースは、無線通信を行うためのインターフェースであっても良い。
【００２６】
システム制御部９は、所定のプログラムによって動作するプロセッサを主体に構成され、撮影動作を含むデジタルカメラ１００の全体の制御を行う。
システム制御部９は、記録メディア１２に記録された画像データを、通信インターフェース１４を介してコンピュータ２００に転送する。
システム制御部９は、記録メディア１２に記録された画像データの転送に要する転送時間を算出する。システム制御部９は、ユーザから指定された時間内に転送を行うことが可能な記録メディア１２上の画像データを、上記算出した転送時間に基づいて決定する。システム制御部９は、上記決定した画像データを通知するための出力を行う。
【００２７】
操作部１３は、デジタルカメラ１００使用時の各種操作を行うものである。
【００２８】
次に、デジタルカメラ１００の動作について、図２のフローチャートを参照して説明する。
デジタルカメラ１００の記録メディア１２が一杯で、この記録メディア１２内の画像データが全て削除できないような場合に、ユーザは、デジタルカメラ１００とコンピュータ２００とをケーブル等により接続し、デジタルカメラ１００を転送モードに設定する（ステップＳ１）。転送モードに設定されると、デジタルカメラ１００のシステム制御部９は、記録メディア１２から画像データを読み込み（ステップＳ２）、読み込んだ画像データについて、当該画像データをコンピュータ２００に転送するのに要する転送時間を算出する（ステップＳ３）。この転送時間は、通信インターフェース１４の通信速度と画像データのデータ量とから算出することができる。
【００２９】
一方、ユーザは、次の撮影までの空き時間を考慮して所定の時間を指定し、この時間を操作部１３から入力する。入力後、システム制御部９は、ユーザにより指定された時間内で転送可能な画像データを、上記算出した転送時間に基づいて決定する（ステップＳ４）。例えば、ユーザにより指定された時間が５分であった場合、上記算出した転送時間が５分以内である画像データを、ユーザにより指定された時間内に転送可能な画像データとして決定する。そして、システム制御部９は、決定した画像データをユーザに通知するための出力を行う（ステップＳ５）。
【００３０】
出力の方法としては、例えば、図３に示すように、画像データのファイル名一覧画面Ｐにおいて、ユーザにより指定された時間内で転送可能な画像データのファイル名にマーク（転送可能な場合は「○」、転送可能でない場合は「×」）を付けたり、ユーザにより指定された時間内で転送可能な画像データのファイル名の文字の色を変えたりするなどして表示させる。また、ユーザにより指定された時間内で転送できない画像データのファイル名をマスキングするような表示を行ってもよい。又、図４に示すように、画像データに基づく画像のサムネイル画像の一覧画面Ｑにおいて、ユーザにより指定された時間内に転送可能な画像データのサムネイル画像に「○」、それ以外のサムネイル画像に「×」などのマーキングを付けて表示させてもよい。
【００３１】
次に、ユーザにより、図３に示すファイル名一覧画面Ｐ又は図４に示すサムネイル画像一覧画面Ｑにおいて、１つの画像データのファイル名又は画像データのサムネイル画像が選択されると、システム制御部９は、選択された画像データの転送時間を表示部８に表示させる（ステップＳ６）。例えば、図３に示す画面上に表示された複数のファイル名、又は、図４に示す画面上に表示された複数のサムネイル画像のいずれかにカーソルが当てられることで、そのカーソルがあてられたファイル名やサムネイル画像上に転送時間を重ねて表示する。
【００３２】
ユーザにより転送すべき画像データが選択されて転送実行の指示がなされると、システム制御部９は、選択された画像データをコンピュータ２００に転送する（ステップＳ７）。転送が終了すると、システム制御部９は、転送した画像データを記録メディア１２から削除して（ステップＳ８）処理を終了する。
【００３３】
このように、デジタルカメラ１００によれば、ユーザにより指定された時間内で転送可能な画像データを決定し、決定した画像データがどれなのかを表示部８に表示してユーザに通知する。ユーザは、この表示を基に、転送したい画像データを選択して転送を行わせることで、希望する時間内に画像データの転送を終了させることができる。又、転送した画像データは自動的に削除される。このため、記憶メディア１２の記憶容量を短い時間で確保することができ、折角のシャッターチャンスを逃してしまうといったことを防ぐことができる。
【図面の簡単な説明】
【００３４】
【図１】本発明の実施形態を説明するためのデジタルカメラの概略構成を示す図。
【図２】本発明のデジタルカメラにおける画像データの動作フローを示す図。
【図３】本発明のデジタルカメラの表示部に表示される画面の一例を示す図。
【図４】本発明のデジタルカメラの表示部に表示される画面の一例を示す図。
【符号の説明】
【００３５】
８  表示部
９  システム制御部
１２  記録メディア
１００  デジタルカメラ
２００  コンピュータ
【図４】
2005268864.tif 000003
【図１】
2005268864.tif 000004
【図２】
2005268864.tif 000005
【図３】
2005268864.tif 000006